(57)【要約】      （修正有）【課題】メガネの落下防止を図るとともに、メガネの多様なデザイン欲求を充足させることができるメガネフレームを提供する。【解決手段】メガネフレームは、ヒンジ部と、クリップ部と、メガネツルを備える。ヒンジ部は、内部を貫通する結合孔が形成された第１結合部材と、第１結合部材の側面に形成され、メガネリムの一側に形成されたブラケットとヒンジ結合するヒンジ部材と、を含む。クリップ部は、第１結合部材が挿入され、第１結合部材の外側面と密着結合する繋ぎ部材と、繋ぎ部材の側面から延びて、メガネツルと並んでいる方向に形成されたクリップ部材とを含む。メガネツルは第１結合部材が挿入される方向の反対方向で、第１結合部材の結合孔に挿入され、第１結合部材の内側面と密着結合する外側面を有する第２結合部材が形成される。【選択図】図２
0003166392.tif 000002
【実用新案登録請求の範囲】
【請求項１】
内部を貫通する結合孔が形成された第１結合部材と、前記第１結合部材の側面に形成され、メガネリムの一側に形成されたブラケットとヒンジ結合するヒンジ部材と、を含むヒンジ部；
前記第１結合部材が挿入され、前記第１結合部材の外側面と密着結合する繋ぎ部材と、前記繋ぎ部材の側面から延びて、前記メガネツルと並んでいる方向に形成されたクリップ部材と、を含むクリップ部；および
前記第１結合部材が挿入される方向の反対方向で、前記第１結合部材の結合孔に挿入され、前記第１結合部材の内側面と密着結合する外側面を有する第２結合部材が形成されたメガネツル；
を備えることを特徴とするメガネフレーム。
【請求項２】
前記第１結合部材の側面には、前記第１結合部材を貫通する第１締結孔が形成され、
前記繋ぎ部材の側面には、前記繋ぎ部材を貫通する第２締結孔が形成され、
前記第２結合部材の側面には、前記第２結合部材を貫通する第３締結孔が形成され、
前記第１結合部材の内側面と前記第２結合部材の外側面との密着結合の際、前記第１〜第３締結孔は重畳されて一つの締結孔を形成することを特徴とする、請求項１に記載のメガネフレーム。
【請求項３】
前記ヒンジ部、前記クリップ部、および前記メガネツルは、前記第１〜第３締結孔を貫通する第１締結ボルトによって、互いに分離しないように密着結合することを特徴とする、請求項２に記載のメガネフレーム。
【請求項４】
前記ヒンジ部、前記クリップ部、および前記メガネツルは、
前記第１結合部材の結合孔を貫通し、前記第２結合部材の内側面に形成されたねじ溝とねじ結合する第２締結ボルトによって、互いに分離しないように密着結合することを特徴とする、請求項２に記載のメガネフレーム。
【請求項５】
前記第１結合部材、前記繋ぎ部材、および前記第２結合部材の断面形状は、６角形状であることを特徴とする、請求項１に記載のメガネフレーム。
【請求項６】
前記クリップ部材は棒形状であり、
前記クリップ部材の一端部には、前記メガネツルの方向に突出した加圧突起が形成され、前記加圧突起の加圧によって、前記クリップ部材と前記メガネツルとの間に挟まれる板形状部材を加圧することを特徴とする、請求項１に記載のメガネフレーム。
【請求項７】
前記クリップ部材は板形状であり、
前記メガネツルの方向に向かう前記板形状のクリップ部材の後面には、加圧突起が形成され、前記板形状のクリップ部材の前面には、所定形状の装飾用パターンが形成されたことを特徴とする、請求項１に記載のメガネフレーム。
【考案の詳細な説明】
【技術分野】
【０００１】
本考案は、メガネフレームに関し、メガネの落下を防止し、頻繁にデザインを変更することができるメガネフレームに関する。
【背景技術】
【０００２】
通常、メガネツルは金属材質または合成樹脂材質から構成された部分であって、メガネの全体デザインを決める重要な部分である。このようなメガネツルのデザインは、初めに生産される当時の色相や質感、形状などのデザインをそのまま使用しなければならず、使用する途中にデザインを変更する方法はない。デザインを変更するためには、メガネリムとメガネツルとから構成されるメガネフレーム全体を変更しなければならない。
【０００３】
メガネを着用する多くの人々が、メガネツルのデザインにすぐ飽きてしまい、長時間使用しないメガネを捨てて新しく購入する等、無駄遣いな要素が大きい。特に、このような固定されたメガネツルのデザインは、最近鋭敏なファッション感覚を持ち、常に変化を求めている若い世代の好みには符合しない。
【０００４】
また、メガネを着用する多くのユーザは、メガネを着用しない場合、メガネツルを折り畳んで、自分の被服に設けられたポケットにメガネツルをかけておく傾向がある。この場合、折り畳まれたメガネツルが緩んで、メガネが地面に落下し、破損する場合が発生する恐れがある。
【０００５】
したがって、メガネツルのデザインを頻繁に変更し、メガネに対する消費者の多様なデザイン欲求を充足させ、メガネの落下を防止することができる開発が要求されている。
【考案の概要】
【考案が解決しようとする課題】
【０００６】
したがって、本考案の目的は、メガネの保護および便利を図りながら、メガネの多様なデザイン欲求を充足させることができるメガネフレームを提供することにある。
【課題を解決するための手段】
【０００７】
前記目的を達成するために、本考案の一実施形態によるメガネフレームは、内部を貫通する結合孔が形成された第１結合部材と、前記第１結合部材の側面に形成され、メガネリムの一側に形成されたブラケットとヒンジ結合するヒンジ部材と、を含むヒンジ部；前記第１結合部材が挿入され、前記第１結合部材の外側面と密着結合する繋ぎ部材と、前記繋ぎ部材の側面から延びて、前記メガネツルと並んでいる方向に形成されたクリップ部材と、を含むクリップ部；および前記第１結合部材が挿入される方向の反対方向で、前記第１結合部材の結合孔に挿入され、前記第１結合部材の内側面と密着結合する外側面を有する第２結合部材が形成されたメガネツル；を備える。
【考案の効果】
【０００８】
本考案によれば、メガネの落下防止を図るとともに、メガネの多様なデザイン欲求を充足させることができる。
【図面の簡単な説明】
【０００９】
【図１】本考案の一実施形態によるメガネフレームを示す全体斜視図である。
【図２】図１に示されたメガネフレームの分解斜視図である。
【図３】図１に示されたメガネフレームの組み立て過程を示す図である。
【図４】図１に示されたメガネフレームの組み立て過程を示す図である。
【図５】図１に示されたメガネフレームの組み立て過程を示す図である。
【図６】図１に示されたメガネフレームの組み立て過程を示す図である。
【図７】図１に示されたメガネフレームの多様な用途を示す図である。
【図８】図１に示されたメガネフレームの多様な用途を示す図である。
【図９】図１に示されたメガネフレームの多様な用途を示す図である。
【図１０】図１に示されたメガネフレームの多様な用途を示す図である。
【図１１】図１に示されたメガネフレームの多様な用途を示す図である。
【考案を実施するための形態】
【００１０】
以下、添付された図面を参照して、本発明の一実施形態について詳細に説明する。
図１は、本考案の一実施形態によるメガネフレームを示す全体斜視図であり、図２は、図１に示されたメガネフレームの分解斜視図である。説明の理解を助けるために、図２は、メガネの左側レンズを支持するメガネフレームの分解斜視図である。
【００１１】
図１および図２を参照すれば、本考案の一実施形態によるメガネフレーム１００は、基本的にメガネが地面に落ちて壊れないようにするための落下防止機能を提供するとともに、多様なデザインに容易に変更することができる機能を提供する。
【００１２】
このような機能を提供するための本考案の一実施形態によるメガネフレーム１００は、レンズを支持するメガネリム１１０と、前記メガネリム１１０とヒンジ結合するヒンジ部１３０と、前記ヒンジ部１３０と結合するクリップ部１４０と、前記クリップ部１４０を介して前記ヒンジ部１３０と結合するメガネツル１５０とを備える。ヒンジ部１３０は、第１結合部材１３２とヒンジ部材１３４とを含む。第１結合部材１３２は、内部を貫通する結合孔１３Ａを有する構成であって、本実施形態においては、６個の側面で構成された６角形状を有する。ヒンジ部材１３４は、前記第１結合部材の６個の側面中のいずれか一側面で形成され、前記メガネリム１１０の一側に形成されたブラケット１２０とヒンジ結合する。
【００１３】
クリップ部１４０は、前記メガネツル１５０とともに、メガネの落下防止機能を具現するピン（ＰＩＮ）のような機能を遂行する構成であって、繋ぎ部材１４２とクリップ部材１４４とを含む。繋ぎ部材１４２は、ヒンジ部１３０の第１結合部材１３２の外側面に挟まれ、第１結合部材１３２と密着結合するように６角形状で具現される。クリップ部材１４４は、繋ぎ部材１４２の一側面から形成され、前記メガネツル１５０と並んでいる方向に形成される。このようなクリップ部材１４４は、前記メガネツル１５０とともにクリップ機能を提供し、メガネをポケットのような所に安定にかけられるように固定させることができる。また、クリップ部材１４４の一端部には、図に示されたように加圧突起１４がメガネツル１５０の方向に形成され、クリップ部材１４４とメガネツル１５０との間に多様な板形状部材を安定的に挟むことができる（加圧することができる）。このような板形状部材は、日除けの用途として使用することができ、多様な絵と文字が彫られたミニ広告看板の用途として使用することができる。
【００１４】
図１および図２の実施形態においては、一端部に加圧突起が形成された棒形状のクリップ部材１４４が示されているが、板形状の部材でも具現されることができる。この場合、メガネツル１５０の方向に向かう一方の面には加圧突起が形成され、反対面には多様な模様がパターニングされることができる。
【００１５】
メガネツル１５０は、メガネリム１１０を頭に固定させる胴体部１５４と、前記胴体部１５４の一端部に形成され、前記ヒンジ部１３０の第１結合部材１３２と結合する第２結合部材１５２とを含む。
【００１６】
第２結合部材１５２は、第１結合部材１３２が繋ぎ部材１４２の内部に挿入された状態で、前記第１結合部材１３２が前記繋ぎ部材１４２に挿入された方向の反対方向で、前記第１結合部材１３２の結合孔に挿入され、前記第１結合部材１３２の内側面と密着結合する。
【００１７】
図３〜図６は、本考案の一実施形態によるメガネフレームの組み立て過程を示す図である。
図３〜図６を参照すれば、ヒンジ部１３０の第１結合部材１３２が、クリップ部１４０の繋ぎ部材１４２の内部に挿入され、繋ぎ部材１４２と密着結合される。ここで、第１結合部材１３２の側面には、第１結合部材１３２を貫通する第１締結孔１３Ｂが形成されており、繋ぎ部材１４２の側面には、繋ぎ部材１４２を貫通する第２締結孔１４Ｂが形成されており、第１結合部材１３２は、第１締結孔１３Ｂが第２締結孔１４Ｂの位置に到達するまで繋ぎ部材１４２の内部に挿入される。
【００１８】
以後、第１結合部材１３２が繋ぎ部材１４２の内部に挿入された方向の反対方向で、メガネツルの第２結合部材１５２は、繋ぎ部材１４２の内部に挿入された第１結合部材１３２の内部に挿入され、第１結合部材１３２と密着結合する。ここで、第２結合部材１５２の側面には、第２結合部材１５２を貫通する第３締結孔１５Ｂが形成されている。第２結合部材１５２は、第３締結孔１５Ｂが第２締結孔１４Ｂの位置に到達するまで第１結合部材１３２の内部に挿入される。したがって、第１〜第３締結孔１３Ｂ，１４Ｂ，１５Ｂは、互いに重畳されて、一つの締結孔を形成するようになる。
【００１９】
以後、第１締結ボルト１０が第１〜第３締結孔１３Ｂ，１４Ｂ，１５Ｂを貫通し、第１〜第３締結孔１３Ｂ，１４Ｂ，１５Ｂを貫通した第１締結ボルト１０が、図５及び図６に示されたように、クリップ部材１４４に形成された第４締結孔１６Ｂとねじ結合する。これにより、ヒンジ部１３０、クリップ部１４０、メガネツル１５０は、互いに分離せず、堅く組み立てられる。
【００２０】
以後、第２締結ボルト２０が第２結合部材１５２の内側面に形成されたねじ溝１５Ａとねじ結合することによって、ヒンジ部１３０、クリップ部１４０、メガネツル１５０は、より堅く、互いに分離しないように組み立てられる。
【００２１】
一方、本実施形態において、第１結合部材１３２、繋ぎ部材１４２、および第２結合部材１５２が６角形状で製造されて、外れずに容易に結合されることができる。また、第１および第２締結ボルト１０，２０を用いたボルト結合過程において、第１結合部材１３２、繋ぎ部材１４２、および第２結合部材１５２が容易に結合される。
【００２２】
本考案の一実施形態によるメガネフレームは、ヒンジ部１３０、クリップ部１４０、およびメガネツル１５０の３部分に分離および組立が可能である。したがって、３部分のいずれの部分も交換が可能である。特に、クリップ部１４０のクリップ部材１４４は、ユーザの性向によってメガネ全体のデザインを考慮し、図１０および図１１に示すように、多様な形態のデザインに交換することができる。また、メガネフレームとして使用される用途に加えて、ネクタイピン、ブローチピン、装身具などの用途として使用されることもできる。
【００２３】
また、本考案の一実施形態によるメガネフレームは、クリップ機能を有しているため、図７に示したように、身体のどこにかけても落とさず、メガネの落下によるメガネ破損を防止することができる。
【００２４】
また、図８に示すように、前記のようなクリップ機能によって、多様な形態の販促物、例えば、イベントまたはスポーツ等の販促物をメガネに容易に付着することができ、多様な装身具をメガネフレームを形成するクリップ部材１４４にかけられるため、多様なメガネデザインを演出することができる。
【００２５】
また、本考案の一実施形態によるメガネフレームは、図９に示されたような板形状部材をクリップ部１４０とメガネツル１５０との間に挟むことによって、日除けの用途として使用することもできる。
【００２６】
以上、特定実施形態について詳細に説明したが、これは単に例示の目的のためのものである。ここで説明されたことに加えて、例示的な実施形態で開示された様態の多様な変形および均等なステップは、実用新案登録請求の範囲に定義された本発明の思想および範囲から外れずに当業者によって製造され、これの範囲はこのような変形および均等構造を含むために最も広い解釈が許される。
【符号の説明】
【００２７】
１０  ・・・第１締結ボルト
２０  ・・・第２締結ボルト
１３Ａ  ・・・結合孔
１５Ａ  ・・・ねじ溝
１３Ｂ，１４Ｂ，１５Ｂ  ・・・第１〜第３締結孔
１４  ・・・加圧突起
１００  ・・・メガネフレーム
１１０  ・・・メガネリム
１２０  ・・・ブラケット
１３０  ・・・ヒンジ部
１３２  ・・・第１結合部材
１３４  ・・・ヒンジ部材
１４０  ・・・クリップ部
１４２  ・・・繋ぎ部材
１４４  ・・・クリップ部材
１５０  ・・・メガネツル
１５２  ・・・第２結合部材
１５４  ・・・胴体部
【図１】
0003166392.tif 000003
【図２】
0003166392.tif 000004
【図３】
0003166392.tif 000005
【図４】
0003166392.tif 000006
【図５】
0003166392.tif 000007
【図６】
0003166392.tif 000008
【図７】
0003166392.tif 000009
【図８】
0003166392.tif 000010
【図９】
0003166392.tif 000011
【図１０】
0003166392.tif 000012
【図１１】
0003166392.tif 000013